(57)【要約】【課題】玩具としても使用可能である装飾体を提供する。【解決手段】透過性を有する円管体１０の内部に複数種類の物質が封入され、円管体１０が軸方向に反転したときに、上記物質が予め設定されたそれぞれの性質と円管体１０のサイズとに基づいて円管体１０の内部で所定の挙動を示す装飾体１において、複数種類の物質を例えば洗剤水溶液１１と空気１２とステンレス球１３とで構成し、円管体１０を軸方向に反転させたとき、所定の値に設定したレイノルズ数に基づいて、下降するステンレス球１３と上昇する空気１２とが衝突したことをきっかけに、ステンレス球１３を高速回転しながら下降させるとともに、洗剤水溶液１１中に渦を発生させる。【選択図】図１
2012171336.tif 000002
【特許請求の範囲】
【請求項１】
透過性を有する円管体の内部に複数種類の物質が封入され、前記円管体が軸方向に反転したとき、前記物質が予め設定されたそれぞれの性質と前記円管体のサイズとに基づいて前記円管体の内部で所定の挙動を示す装飾体であって、
前記複数種類の物質は、液体と気体と球状の固体とで構成され、
前記円管体の静止時には、
前記液体は液層を形成し、
前記気体は前記液層の上方に気層を形成し、
前記固体は前記液体中に沈んで前記液層の底に位置し、
前記円管体が軸方向に反転したときには、
前記液体、前記気体および前記固体が重力と所定の値に設定されたレイノルズ数とに基づいて所定の挙動を示す
ことを特徴とする、装飾体。
【請求項２】
前記液体は洗剤水溶液であり、
前記気体は空気であり、
前記固体はステンレス製の球体であり、
前記円管体が軸方向に反転したとき、前記固体が重力と所定の値に設定されたレイノルズ数とに基づいて前記液体中を回転しながら下降するとともに、前記液体中に渦が発生する
ことを特徴とする、請求項１に記載の装飾体。
【請求項３】
透過性を有する円管体の内部に複数種類の物質が封入され、前記円管体が軸方向に反転したとき、前記物質が予め設定されたそれぞれの性質と前記円管体のサイズとに基づいて前記円管体の内部で所定の挙動を示す装飾体であって、
前記複数種類の物質は、第１の液体と、前記第１の液体とは異なる第２の液体と、気体とで構成され、
前記円管体の静止時には、
前記第１の液体は第１の液層を形成し、
前記第２の液体は前記第１の液層の上方に第２の液層を形成し、
前記気体は前記第２の液層の上方に気層を形成し、
前記円管体が軸方向に反転したときには、
前記第１の液体、前記第２の液体および前記気体が所定の値に設定されたそれぞれの密度および量に基づいて所定の挙動を示す
ことを特徴とする、装飾体。
【請求項４】
前記第１の液体は水であり、
前記第２の液体は油であり、
前記気体は空気であり、
前記円管体が軸方向に反転したとき、前記第２の液体が前記第１の液体中で分離したりくっついたりしながら上昇する
ことを特徴とする、請求項３に記載の装飾体。
【請求項５】
透過性を有する円管体の内部に複数種類の物質が封入され、前記円管体が軸方向に反転したとき、前記物質が予め設定されたそれぞれの性質と前記円管体のサイズとに基づいて前記円管体の内部で所定の挙動を示す装飾体であって、
前記複数種類の物質は、液体と気体とで構成され、
前記円管体の静止時には、
前記液体は液層を形成し、
前記気体は前記液層の上方に気層を形成し、
前記円管体が軸方向に反転したときには、
前記気体が所定の値に設定された前記液体の粘度に基づいて所定の速度で上昇する
ことを特徴とする、装飾体。
【請求項６】
前記液体は液状の洗濯のりであり、
前記気体は空気であり、
前記円管体が軸方向に反転したとき、前記気体が前記液体中でひとかたまりの泡になって上昇する
ことを特徴とする、請求項５に記載の装飾体。
【請求項７】
前記円管体を支持する支持台と、
前記円管体を前記円管体の外部から照明する照明装置と、をさらに備えた
ことを特徴とする、請求項１〜６の何れか１項に記載の装飾体。
【請求項８】
前記照明装置は前記支持台の内部に設置され、前記円管体を下方から照明する
ことを特徴とする、請求項７に記載の装飾体。
【請求項９】
前記円管体は、直立状態で前記支持台に支持されている
ことを特徴とする、請求項８に記載の装飾体。
【発明の詳細な説明】
【技術分野】
【０００１】
本発明は、玩具としても使用可能であり、且つ、展示してその場所を装飾可能である装飾体に関する。
【背景技術】
【０００２】
従来、展示してその場所を装飾する装飾体（オブジェ）としては様々なものが存在している。また、例えば特許文献１に記載されているように、玩具としても使用可能なオブジェ（シート製オブジェ）も開発されている。
【先行技術文献】
【特許文献】
【０００３】
【特許文献１】特開２０１１−１０７８５号公報
【発明の概要】
【発明が解決しようとする課題】
【０００４】
斯かる実情の中、特許文献１に開示されているような装飾体以外にも、玩具としても使用可能な装飾体が多様に存在すれば、需要者が装飾体を購入する際に選択肢が増えて望ましい。
【０００５】
本発明は、斯かる要望に鑑み、玩具としても使用可能である装飾体を提供しようとするものである。
【課題を解決するための手段】
【０００６】
本発明の装飾体は、透過性を有する円管体の内部に複数種類の物質が封入され、前記円管体が軸方向に反転したとき、前記物質が予め設定されたそれぞれの性質と前記円管体のサイズとに基づいて前記円管体の内部で所定の挙動を示す装飾体である。
【０００７】
そして、前記複数種類の物質は、液体と気体と球状の固体とで構成され、前記円管体の静止時には、前記液体は液層を形成し、前記気体は前記液層の上方に気層を形成し、前記固体は前記液体中に沈んで前記液層の底に位置し、前記円管体が軸方向に反転したときには、前記液体、前記気体および前記固体が重力と所定の値に設定されたレイノルズ数とに基づいて所定の挙動を示すことを特徴としている。
【０００８】
あるいは、前記複数種類の物質は、第１の液体と、前記第１の液体とは異なる第２の液体と、気体とで構成され、前記円管体の静止時には、前記第１の液体は第１の液層を形成し、前記第２の液体は前記第１の液層の上方に第２の液層を形成し、前記気体は前記第２の液層の上方に気層を形成し、前記円管体が軸方向に反転したときには、前記第１の液体、前記第２の液体および前記気体が所定の値に設定されたそれぞれの密度および量に基づいて所定の挙動を示すことを特徴としている。
【０００９】
あるいは、前記複数種類の物質は、液体と気体とで構成され、前記円管体の静止時には、前記液体は液層を形成し、前記気体は前記液層の上方に気層を形成し、前記円管体が軸方向に反転したときには、前記気体が所定の値に設定された前記液体の粘度に基づいて所定の速度で上昇することを特徴としている。
【００１０】
また、本発明の装飾体は、前記円管体を支持する支持台と、前記円管体を前記円管体の外部から照明する照明装置と、をさらに備えることを特徴としている。このとき、前記照明装置は前記支持台の内部に設置され、前記円管体を下方から照明することが好ましく、また、前記円管体は、直立状態で前記支持台に支持されていることが好ましい。
【発明の効果】
【００１１】
本発明の装飾体によれば、通常の態様として静止状態で装飾体を所望の場所に展示しながら、装飾体を手動あるいは自動的に動かすことで、円管体の内部で気体や液体や固体に所定の挙動を生じさせ、装飾性をより高めることができるとともに、玩具としても楽しんで使用することができる。
【図面の簡単な説明】
【００１２】
【図１】本発明の第１実施形態の実施例１に係る装飾体を模式的に示す正面図であって、（ａ）は円管体が直立して静止している状態を示し、（ｂ）は円管体が軸方向に反転したときの円管体内部の物質の挙動を示している。
【図２】本発明の第１実施形態の実施例２に係る装飾体を模式的に示す正面図であって、（ａ）は円管体が直立して静止している状態を示し、（ｂ）は円管体が軸方向に反転したときの円管体内部の物質の挙動を示している。
【図３】本発明の第１実施形態の実施例３に係る装飾体を模式的に示す正面図であって、（ａ）は円管体が直立して静止している状態を示し、（ｂ）は円管体が軸方向に反転したときの円管体内部の物質の挙動を示している。
【図４】本発明の第１実施形態の実施例４に係る装飾体を模式的に示す正面図であって、（ａ）は円管体が直立して静止している状態を示し、（ｂ）は円管体が軸方向に反転したときの円管体内部の物質の挙動を示している。
【図５】本発明の第１実施形態の実施例５に係る装飾体を模式的に示す正面図であって、（ａ）は円管体が直立して静止している状態を示し、（ｂ）は円管体が軸方向に反転したときの円管体内部の物質の挙動を示している。
【図６】本発明の第１実施形態の実施例６に係る装飾体を模式的に示す正面図であって、（ａ）は円管体が直立して静止している状態を示し、（ｂ）は円管体が軸方向に反転したときの円管体内部の物質の挙動を示している。
【図７】本発明の第１実施形態の実施例７に係る装飾体を模式的に示す正面図であって、（ａ）は円管体が直立して静止している状態を示し、（ｂ）は円管体が軸方向に反転したときの円管体内部の物質の挙動を示している。
【図８】本発明の第２実施形態の実施例８に係る装飾体を模式的に示す正面図であって、（ａ）は円管体が直立して静止している状態を示し、（ｂ）は円管体が軸方向に反転したときの円管体内部の物質の挙動を示している。
【図９】本発明の第２実施形態の実施例９に係る装飾体を模式的に示す正面図であって、（ａ）は円管体が直立して静止している状態を示し、（ｂ）は円管体が軸方向に反転したときの円管体内部の物質の挙動を示している。
【図１０】本発明の第２実施形態の実施例１０に係る装飾体を模式的に示す正面図であって、（ａ）は円管体が直立して静止している状態を示し、（ｂ）は円管体が軸方向に反転したときの円管体内部の物質の挙動を示している。
【図１１】本発明の第２実施形態の実施例１１に係る装飾体を模式的に示す正面図であって、（ａ）は円管体が直立して静止している状態を示し、（ｂ）は円管体が軸方向に反転したときの円管体内部の物質の挙動を示している。
【図１２】本発明の第３実施形態の実施例１２に係る装飾体を模式的に示す正面図であって、（ａ）は円管体が直立して静止している状態を示し、（ｂ）は円管体が軸方向に反転したときの円管体内部の物質の挙動を示している。
【図１３】本発明の実施例１〜１２に係る装飾体の各構成要素の設定内容を示す表である。
【図１４】本発明のその他の変形例１に係る装飾体を模式的に示す正面図である。
【図１５】本発明のその他の変形例２に係る装飾体を模式的に示す正面図である。
【発明を実施するための形態】
【００１３】
以下、本発明の実施の形態を添付図面を参照して説明する。
【００１４】
＜第１実施形態＞
図１〜図７に示すように、本発明の第１実施形態に係る装飾体１は、透過性を有する円管体１０の内部に液体１１と気体１２と球状の固体（球体ともいう）１３とが封入され、円管体１０が軸方向に反転したとき、液体１１、気体１２および固体１３の各物質が重力と所定の値に設定されたレイノルズ数とに基づいて円管体１０の内部で所定の挙動を示すように構成されたものである。なお、液体１１、気体１２および固体１３の各物質の状態は、常温常圧での状態である。
【００１５】
レイノルズ数は、次の数式で表される。
Ｒｅ＝ρＶｄ／μ＝Ｖｄ／ν・・・（１）
【００１６】
ここで、ρは液体１１の密度、Ｖは液体１１の流速、ｄは円管体１０の内径、μは液体１１の粘度、νは液体１１の動粘度である。つまり、レイノルズ数は、液体１１に固有の値（密度、粘度、動粘度）に加えて、円管体１０のサイズやその内部の流速などの、液体１１以外の条件を含めて設定される値である。
【００１７】
以下に、第１実施形態の７つの実施例について順に説明する。
【００１８】
（実施例１）
実施例１では、円管体１０はアクリル製であって、図１３に示すように、その外径が６０ｍｍ、内径が５６ｍｍ、全長が１０００ｍｍに形成されている。円管体１０の両端部には栓１４がされており、栓１４は外径が６０ｍｍ、厚みが４ｍｍに形成されている。前記の全長の１０００ｍｍは栓１４も含めた長さである。
【００１９】
また、実施例１では、液体１１として洗剤水溶液、気体１２として空気、固体１３としてステンレス製の球体（以下、ステンレス球ともいう）が用いられている。ステンレス球１３の直径は５０．８ｍｍである。
【００２０】
図１（ａ）に示すように、円管体１０が直立して静止している状態では、洗剤水溶液１１は液層を形成し、空気１２は液層の上方に気層を形成し、ステンレス球１３は洗剤水溶液１１中に沈んで液層の底に位置している。
【００２１】
一方、図１（ｂ）に示すように、円管体１０が軸方向に反転したときには、ステンレス球１３は洗剤水溶液１１中を下降（落下）するとともに、空気１２は洗剤水溶液１１中を上昇する。そして、下降するステンレス球１３と上昇する空気１２とが衝突したときに、ステンレス球１３が回転を開始し、その後、ステンレス球１３は洗剤水溶液１１中を高速回転しながら下降するとともに、洗剤水溶液１１中には渦が発生する。
【００２２】
この実施例１の装飾体１によれば、通常の態様として静止状態で装飾体１を所望の場所に展示しながら、装飾体１を反転させることで円管体１０の内部で液体１１や気体１２や固体１３に所定の挙動を生じさせ、装飾性をより高めることができるとともに、玩具としても楽しんで使用することができる。特に、液体１１が洗剤水溶液であるため、泡ができやすく、渦を視認しやすくするという利点がある。
【００２３】
（実施例２）
実施例２では、円管体１０はアクリル製であって、図１３に示すように、その外径が３０ｍｍ、内径が２６ｍｍ、全長が１０００ｍｍに形成されている。円管体１０の両端部には栓１４がされており、栓１４は外径が３０ｍｍ、厚みが４ｍｍに形成されている。前記の全長の１０００ｍｍは栓１４も含めた長さである。
【００２４】
また、実施例２では、実施例１と同様に、液体１１として洗剤水溶液、気体１２として空気、固体１３としてステンレス球が用いられている。洗剤水溶液１１の量は５００ｍｌ、ステンレス球１３の直径は２５ｍｍである。
【００２５】
図２（ａ）に示すように、円管体１０が直立して静止している状態では、洗剤水溶液１１は液層を形成し、空気１２は液層の上方に気層を形成し、ステンレス球１３は洗剤水溶液１１中に沈んで液層の底に位置している。
【００２６】
一方、図２（ｂ）に示すように、円管体１０が軸方向に反転したときには、ステンレス球１３は洗剤水溶液１１中を下降するとともに、空気１２は洗剤水溶液１１中を上昇する。そして、下降するステンレス球１３と上昇する空気１２とが衝突したときに、ステンレス球１３が回転を開始し、その後、ステンレス球１３は洗剤水溶液１１中を高速回転しながら下降するとともに、洗剤水溶液１１中には渦が発生する。この作用も、実施例１と同様である。
【００２７】
したがって、この実施例２の装飾体１によれば、通常の態様として静止状態で装飾体１を所望の場所に展示しながら、装飾体１を反転させることで円管体１０の内部で液体１１や気体１２や固体１３に所定の挙動を生じさせ、装飾性をより高めることができるとともに、玩具としても楽しんで使用することができる。特に、液体１１が洗剤水溶液であるため、泡ができやすく、渦を視認しやすくするという利点がある。
【００２８】
（実施例３）
実施例３では、円管体１０はアクリル製であって、図１３に示すように、その外径が１５ｍｍ、内径が１１ｍｍ、全長が１０００ｍｍに形成されている。円管体１０の両端部には栓１４がされており、栓１４は外径が１５ｍｍ、厚みが３ｍｍに形成されている。前記の全長の１０００ｍｍは栓１４も含めた長さである。
【００２９】
また、実施例３では、実施例１および実施例２と同様に、液体１１として洗剤水溶液、気体１２として空気、固体１３としてステンレス球が用いられている。ステンレス球１３の直径は１０ｍｍである。
【００３０】
図３（ａ）に示すように、円管体１０が直立して静止している状態では、洗剤水溶液１１は液層を形成し、空気１２は液層の上方に気層を形成し、ステンレス球１３は洗剤水溶液１１中に沈んで液層の底に位置している。
【００３１】
一方、図３（ｂ）に示すように、円管体１０が軸方向に反転したときには、ステンレス球１３は洗剤水溶液１１中を下降するとともに、空気１２は洗剤水溶液１１中を上昇する。そして、下降するステンレス球１３と上昇する空気１２とが衝突したときに、ステンレス球１３が回転を開始し、その後、ステンレス球１３は洗剤水溶液１１中を高速回転しながら下降するとともに、洗剤水溶液１１中には渦が発生する。ただし、実施例１や実施例２とは異なり、顕著な渦は発生しない。
【００３２】
したがって、この実施例３の装飾体１によれば、通常の態様として静止状態で装飾体１を所望の場所に展示しながら、装飾体１を反転させることで円管体１０の内部で液体１１や気体１２や固体１３に所定の挙動を生じさせ、装飾性をより高めることができるとともに、玩具としても楽しんで使用することができる。特に、液体１１が洗剤水溶液であるため、泡ができやすく、渦を視認しやすくするという利点がある。
【００３３】
（実施例４）
実施例４では、円管体１０はアクリル製であって、図１３に示すように、その外径が３０ｍｍ、内径が２６ｍｍ、全長が１０００ｍｍに形成されている。円管体１０の両端部には栓１４がされており、栓１４は外径が３０ｍｍ、厚みが４ｍｍに形成されている。前記の全長の１０００ｍｍは栓１４も含めた長さである。
【００３４】
また、実施例４では、液体１１として精製水、気体１２として空気、固体１３として透明の消臭ビーズが複数個用いられている。ビーズ１３は円管体１０の内径よりも小径（直径８〜１０ｍｍ程度）の粒状物であり、その量は、円管体１０の一端部から他端部に至るまでを満たすのに十分な量となっている。
【００３５】
図４（ａ）に示すように、円管体１０が直立して静止している状態では、精製水１１は液層を形成し、空気１２は液層の上方に気層を形成し、ビーズ１３は液層および気層に亘って満たされている。
【００３６】
一方、図４（ｂ）に示すように、円管体１０が軸方向に反転したときには、空気１２の泡が精製水１１中でビーズ１３の間の隙間を通り抜けながら上昇する。
【００３７】
したがって、この実施例４の装飾体１によれば、通常の態様として静止状態で装飾体１を所望の場所に展示しながら、装飾体１を反転させることで円管体１０の内部で空気１２に所定の挙動を生じさせ、装飾性をより高めることができるとともに、玩具としても楽しんで使用することができる。特に、ビーズ１３は透明で精製水１１と同色であるので、外部からは精製水１１に溶け込んで見えて判別しがたくなるため、空気１２の泡が水中をゆらゆらと上昇するように見せかけることができる。
【００３８】
（実施例５）
実施例５では、円管体１０はアクリル製であって、図１３に示すように、その外径が１５ｍｍ、内径が１１ｍｍ、全長が１０００ｍｍに形成されている。円管体１０の両端部には栓１４がされており、栓１４は外径が１５ｍｍ、厚みが３ｍｍに形成されている。前記の全長の１０００ｍｍは栓１４も含めた長さである。
【００３９】
また、実施例５では、実施例４と同様に、液体１１として精製水、気体１２として空気、固体１３として透明の消臭ビーズが複数個用いられている。ビーズ１３は円管体１０の内径よりも小径（直径８〜１０ｍｍ程度）の粒状物であり、ここでは６個が用いられている。
【００４０】
図５（ａ）に示すように、円管体１０が直立して静止している状態では、精製水１１は液層を形成し、空気１２は液層の上方に気層を形成し、ビーズ１３は精製水１１中に沈んで液層の底部に直列に並んでいる。
【００４１】
一方、図５（ｂ）に示すように、円管体１０が軸方向に反転したときには、複数のビーズ１３は精製水１１中を直列に並んで下降するとともに、空気１２は上昇する。そして、下降するビーズ１３と上昇する空気１２とが衝突したときに、空気１２はビーズ１３をわずかに押し上げる。その後、空気１２はビーズ１３と円管体１０の側壁との間の隙間を通り抜けてさらに上昇し、ビーズ１３は下降を再開する。
【００４２】
したがって、この実施例５の装飾体１によれば、通常の態様として静止状態で装飾体１を所望の場所に展示しながら、装飾体１を反転させることで円管体１０の内部で空気１２に所定の挙動を生じさせ、装飾性をより高めることができるとともに、玩具としても楽しんで使用することができる。特に、ビーズ１３は透明で精製水１１と同色であるので、外部からは精製水１１に溶け込んで見えて判別しがたくなるため、空気１２のかたまりが加速したり減速したりしながら水中をゆらゆらと上昇するように見せかけることができる。
【００４３】
（実施例６）
実施例６では、円管体１０はアクリル製であって、図１３に示すように、その外径が１５ｍｍ、内径が１１ｍｍ、全長が１０００ｍｍに形成されている。円管体１０の両端部には栓１４がされており、栓１４は外径が１５ｍｍ、厚みが３ｍｍに形成されている。前記の全長の１０００ｍｍは栓１４も含めた長さである。
【００４４】
また、実施例６では、液体１１として精製水、気体１２として空気、固体１３としてアクリル製の球体（以下、アクリル球ともいう）が用いられている。アクリル球１３の直径は１０ｍｍである。
【００４５】
図６（ａ）に示すように、円管体１０が直立して静止している状態では、精製水１１は液層を形成し、空気１２は液層の上方に気層を形成し、アクリル球１３は精製水１１中に沈んで液層の底に位置している。
【００４６】
一方、図６（ｂ）に示すように、円管体１０が軸方向に反転したときには、アクリル球１３は精製水１１中を下降するとともに、空気１２は上昇する。そして、下降するアクリル球１３と上昇する空気１２とが衝突して以降は、空気１２はビーズ１３を徐々に押し上げる。その後、空気１２が円管体１０の上端部に到達すると、円管体１０の上部まで押し上げられたアクリル球１３が精製水１１中を下降し始める。
【００４７】
したがって、この実施例６の装飾体１によれば、通常の態様として静止状態で装飾体１を所望の場所に展示しながら、装飾体１を反転させることで円管体１０の内部で気体１２や固体１３に所定の挙動を生じさせ、装飾性をより高めることができるとともに、玩具としても楽しんで使用することができる。
【００４８】
（実施例７）
実施例７では、円管体１０はアクリル製であって、図１３に示すように、その外径が１５ｍｍ、内径が１１ｍｍ、全長が１０００ｍｍに形成されている。円管体１０の両端部には栓１４がされており、栓１４は外径が１５ｍｍ、厚みが３ｍｍに形成されている。前記の全長の１０００ｍｍは栓１４も含めた長さである。
【００４９】
また、実施例７では、液体１１として液状の洗濯のり、気体１２として空気、固体１３として鉛製の球体（以下、鉛球ともいう）が複数個用いられている。鉛球１３は円管体１０の内径よりも小径（直径１ｍｍ）の粒状物であり、ここでは５０ｇが用いられている。
【００５０】
図７（ａ）に示すように、円管体１０が直立して静止している状態では、洗濯のり１１は液層を形成し、空気１２は液層の上方に気層を形成し、鉛球１３は洗濯のり１１中に沈んで液層の底に位置している。
【００５１】
一方、図７（ｂ）に示すように、円管体１０が軸方向に反転したときには、上昇する空気１２の影響を受け、鉛球１３は精製水１１中を螺旋状に下降する。
【００５２】
したがって、この実施例７の装飾体１によれば、通常の態様として静止状態で装飾体１を所望の場所に展示しながら、装飾体１を反転させることで円管体１０の内部で鉛球１３に所定の挙動を生じさせ、装飾性をより高めることができるとともに、玩具としても楽しんで使用することができる。
【００５３】
＜第２実施形態＞
次に、図８〜図１１および図１３を用いて本発明の第２実施形態に係る装飾体２について説明する。第２実施形態に係る装飾体２は、透過性を有する円管体２０の内部に第１の液体２１と第２の液体２２と気体２３とが封入され、円管体２０が軸方向に反転したとき、第１の液体２１、第２の液体２２および気体２３の各物質が所定の値に設定された第１の液体２１、第２の液体２２および気体２３の密度や粘度や量に基づいて所定の挙動を示すように構成されたものである。なお、第１の液体２１、第２の液体２２および気体２３の各物質の状態は、常温常圧での状態である。
【００５４】
以下に、第２実施形態の４つの実施例について順に説明する。
【００５５】
（実施例８）
実施例８では、円管体２０はアクリル製であって、図１３に示すように、その外径が６０ｍｍ、内径が５６ｍｍ、全長が１０００ｍｍに形成されている。円管体２０の両端部には栓２４がされており、栓２４は外径が６０ｍｍ、厚みが４ｍｍに形成されている。前記の全長の１０００ｍｍは栓２４も含めた長さである。
【００５６】
また、実施例８では、第１の液体２１として精製水、第２の液体２２としてベビーオイル、気体２３として空気が用いられている。オイル２２は透明であり、その量は５００ｍｌである。また、精製水２１の量はオイル２２の量よりも多い。
【００５７】
図８（ａ）に示すように、円管体２０が直立して静止している状態では、精製水２１が第１の液層を形成し、オイル２２が第１の液層の上方に第２の液層を形成し、空気２３が第２の液層の上方に気層を形成している。つまり、精製水２１とオイル２２とは２層に分離した状態となっている。第１の液層は第２の液層よりも厚い。
【００５８】
一方、図８（ｂ）に示すように、円管体２０が軸方向に反転したときには、オイル２２と空気２３とが精製水２１中を上昇するが、空気２３はオイル２２よりも密度が小さいためにオイル２２よりも上昇速度が速く、オイル２２中を上昇した後に精製水２１中を上昇する。ここで、空気２３はオイル２２中を上昇するときにオイル２２を大小のかたまりに分断する。オイル２２は空気２３の上昇の影響を受けて分離したりくっついたりしながら精製水２１中を上昇する。
【００５９】
この実施例８の装飾体２によれば、通常の態様として静止状態で装飾体２を所望の場所に展示しながら、装飾体２を反転させることで円管体２０の内部でオイル２２や空気２３に所定の挙動を生じさせ、装飾性をより高めることができるとともに、玩具としても楽しんで使用することができる。
【００６０】
（実施例９）
実施例９では、円管体２０はアクリル製であって、図１３に示すように、その外径が３０ｍｍ、内径が２６ｍｍ、全長が１０００ｍｍに形成されている。円管体２０の両端部には栓２４がされており、栓２４は外径が３０ｍｍ、厚みが４ｍｍに形成されている。前記の全長の１０００ｍｍは栓２４も含めた長さである。
【００６１】
また、実施例９では、実施例８と同様に、第１の液体２１として精製水、第２の液体２２としてベビーオイル、気体２３として空気が用いられている。オイル２２は透明である。また、精製水２１の量はオイル２２の量よりも多い。
【００６２】
図９（ａ）に示すように、円管体２０が直立して静止している状態では、精製水２１が第１の液層を形成し、オイル２２が第１の液層の上方に第２の液層を形成し、空気２３が第２の液層の上方に気層を形成している。つまり、精製水２１とオイル２２とは２層に分離した状態となっている。第１の液層は第２の液層よりも厚い。
【００６３】
一方、図９（ｂ）に示すように、円管体２０が軸方向に反転したときには、オイル２２と空気２３とが精製水２１中を上昇するが、空気２３はオイル２２よりも上昇速度が速く、オイル２２中を上昇した後に精製水２１中を上昇する。ここで、空気２３はオイル２２中を上昇するときにオイル２２を大小のかたまりに分断する。オイル２２は空気２３の上昇の影響を受けて分離したりくっついたりしながら精製水２１中を上昇する。この作用も、実施例８と同様である。
【００６４】
したがって、実施例９の装飾体２によれば、通常の態様として静止状態で装飾体２を所望の場所に展示しながら、装飾体２を反転させることで円管体２０の内部でオイル２２や空気２３に所定の挙動を生じさせ、装飾性をより高めることができるとともに、玩具としても楽しんで使用することができる。
【００６５】
（実施例１０）
実施例１０では、円管体２０はアクリル製であって、図１３に示すように、その外径が３０ｍｍ、内径が２６ｍｍ、全長が１０００ｍｍに形成されている。円管体２０の両端部には栓２４がされており、栓２４は外径が３０ｍｍ、厚みが４ｍｍに形成されている。前記の全長の１０００ｍｍは栓２４も含めた長さである。
【００６６】
また、実施例１０では、実施例８および実施例９と同様に、第１の液体２１として精製水、第２の液体２２としてベビーオイル、気体２３として空気が用いられている。オイル２２は透明である。ただし、実施例１０では、実施例８および実施例９と異なり、精製水２１の量はオイル２２の量よりも少ない。
【００６７】
図１０（ａ）に示すように、円管体２０が直立して静止している状態では、精製水２１が第１の液層を形成し、オイル２２が第１の液層の上方に第２の液層を形成し、空気２３が第２の液層の上方に気層を形成している。つまり、精製水２１とオイル２２とは２層に分離した状態となっている。第１の液層は第２の液層よりも薄い。
【００６８】
一方、図１０（ｂ）に示すように、円管体２０が軸方向に反転したときには、オイル２２と空気２３とが精製水２１中を上昇する。空気２３はオイル２２よりも上昇速度が速く、オイル２２中をひとかたまりになって上昇した後に精製水２１中を上昇し、円管体２０の上部に溜まる。また、オイル２２は精製水２１中を上昇するが、オイル２２の量は精製水２１よりもはるかに多いので、精製水２１がオイル２２中を下降しているように見える。つまり、実施例８および実施例９と同様の作用でありながら、逆の見え方をする。
【００６９】
したがって、実施例１０の装飾体２によれば、通常の態様として静止状態で装飾体２を所望の場所に展示しながら、装飾体２を反転させることで円管体２０の内部でオイル２２や空気２３に所定の挙動を生じさせ、装飾性をより高めることができるとともに、玩具としても楽しんで使用することができる。
【００７０】
（実施例１１）
実施例１１では、円管体２０はアクリル製であって、図１３に示すように、その外径が１５ｍｍ、内径が１１ｍｍ、全長が１０００ｍｍに形成されている。円管体２０の両端部には栓２４がされており、栓２４は外径が１５ｍｍ、厚みが３ｍｍに形成されている。前記の全長の１０００ｍｍは栓２４も含めた長さである。
【００７１】
また、実施例１１では、第１の液体２１として洗剤水溶液、第２の液体２２としてベビーオイル、気体２３として空気が用いられている。洗剤水溶液２１の量はオイル２２の量よりも多い。また、オイル２２は透明である。
【００７２】
図１１（ａ）に示すように、円管体２０が直立して静止している状態では、洗剤水溶液２１が第１の液層を形成し、オイル２２が第１の液層の上方に第２の液層を形成し、空気２３が第２の液層の上方に気層を形成している。つまり、オイル２１と精製水２２とは２層に分離した状態となっている。
【００７３】
一方、図１１（ｂ）に示すように、円管体２０が軸方向に反転したときには、オイル２２が空気２３の上昇の影響を受けて洗剤水溶液２１中を蛇行しながら上昇する。
【００７４】
したがって、実施例１１の装飾体２によれば、通常の態様として静止状態で装飾体２を所望の場所に展示しながら、装飾体２を反転させることで円管体２０の内部でオイル２２に所定の挙動を生じさせ、装飾性をより高めることができるとともに、玩具としても楽しんで使用することができる。
【００７５】
＜第３実施形態＞
次に、図１２および図１３を用いて本発明の第３実施形態に係る装飾体３について説明する。第３実施形態に係る装飾体３は、透過性を有する円管体３０の内部に液体３１と気体３２とが封入され、円管体３０が軸方向に反転したとき、液体３１および気体３２の各物質が液体３１の粘度に基づいて円管体３０の内部で所定の挙動を示すように構成されたものである。なお、液体３１および気体３２の各物質の状態は、常温常圧での状態である。以下に、第３実施形態の実施例を説明する。
【００７６】
（実施例１２）
実施例１３では、円管体３０はアクリル製であって、図１３に示すように、その外径が３０ｍｍ、内径が２６ｍｍ、全長が１０００ｍｍに形成されている。円管体３０の両端部には栓３４がされており、栓３４は外径が３０ｍｍ、厚みが４ｍｍに形成されている。前記の全長の１０００ｍｍは栓３４も含めた長さである。
【００７７】
また、実施例１２では、液体３１として液状の洗濯のり、気体３２として空気が用いられている。円管体３０の内部を占める洗濯のり３１の体積は、空気３２の体積よりもかなり大きい。
【００７８】
図１２（ａ）に示すように、円管体３０が直立して静止している状態では、洗濯のり３１が液層を形成し、空気３２が液層の上方に気層を形成している。
【００７９】
一方、図１２（ｂ）に示すように、円管体３０が軸方向に反転したときには、空気３２が洗濯のり３１中をひとかたまりの泡となってゆっくりと上昇する。空気３２の上昇速度は、洗濯のり３１の粘度に左右される。
【００８０】
この実施例１２の装飾体３によれば、通常の態様として静止状態で装飾体３を所望の場所に展示しながら、装飾体３を反転させることで円管体３０の内部で空気３２に所定の挙動を生じさせ、装飾性をより高めることができるとともに、玩具としても楽しんで使用することができる。また、洗濯のり３１の粘度を調整することで、空気３２の泡の上昇速度を調整することができる。
【００８１】
＜その他＞
以上、本発明の装飾体の各実施形態について説明したが、本発明の装飾体は上述の実施形態に限定されるものではなく、本発明の要旨を逸脱しない範囲内において種々変更を加え得ることは勿論である。
【００８２】
例えば、上述の各実施形態では、円管体１０，２０，３０は、「外径が６０ｍｍ、内径が５６ｍｍ、全長が１０００ｍｍ」あるいは「外径が３０ｍｍ、内径が２６ｍｍ、全長が１０００ｍｍ」あるいは「外径が１５ｍｍ、内径が１１ｍｍ、全長が１０００ｍｍ」のいずれかのサイズに設定されているが、円管体１０，２０，３０のサイズはこれに限定されない。ただし、第１実施形態では、液体１１中に渦が生じるレイノルズ数となるようにサイズを設定する必要がある。
【００８３】
また、例えば上述の各実施形態では、円管体１０，２０，３０はアクリル製としたが、透明乃至は半透明となる材料で製造されていればよく、例えばガラス製であってもよい。
【００８４】
また、例えば上述の各実施形態では、気体１２，２３，３２として空気を用いたが、他の種類の気体（例えば、酸素ガスや窒素ガスや水素ガスやヘリウムガス）であってもよい。
【００８５】
また、例えば上述の各実施形態では、液体１１，２１，２２，３１は基本的に無色であるが、適宜に着色すると装飾性がより向上して好ましい。同様に、他の固体（例えば消臭ビーズやアクリル球）１３についても着色すると好ましい。
【００８６】
また、例えば上述の第１実施形態の実施例１〜３では、液体１１として洗剤水溶液を用い、固体１３としてステンレス球を用いたが、他の種類のものであってもよい。ただし、液体１１は泡を発生させやすくするために界面活性剤の入っているものが好ましい。また、固体１３は液体１１よりも比重の大きいものである必要がある。
【００８７】
すなわち、本発明の装飾体は、透過性を有する円管体の内部に複数種類の物質が封入され、円管体が軸方向に反転したとき、上記の物質が予め設定されたそれぞれの性質（種類、密度、粘度、量など）や円管体のサイズに基づいて前記円管体の内部で所定の挙動を示す装飾体であって、封入する物質の種類・個数・性質や円管体のサイズは適宜に設定することができるものである。ただし、本発明の装飾体は、上昇する気体と下降する液体または固体の衝突によって生み出される挙動に特徴がある。また、本発明は、円管体の内部に液体と気体とを少なくとも封入し、静止時に円管体上部に空間が形成された状態とし、この空間の存在で円管体が反転したときに液体に流れ（液流）を生じさせ、当該液流によって生み出される挙動にも特徴がある。
【００８８】
また、本発明の装飾体は、図１４および図１５に示すように展示されると、装飾性がより向上して好ましい。図１４に示す例では、さらに支持台４１と照明装置４２とを備えている。支持台４１は、直列に並んだ複数個の円管体１０，２０，３０（装飾体１〜３）を直立状態で支持している。また、照明装置４２は支持台４１の内部に設置されて円管体１０，２０，３０を下方から照明するように構成されている。
【００８９】
このように複数個の円管体１０，２０，３０を直列に並んだ状態で下方から照明すれば、円管体１０，２０，３０を反転させたときの各物質の挙動がより際立ち、装飾性を高めることができる。また、照明装置４２の照明光の色を装飾体１〜３の色（特に、各物質の色）に合わせて設定すると、より装飾性を高めることができて好ましい。
【００９０】
なお、支持台４１は一つの円管体１０，２０，３０を直立状態で支持するようにしてもよい。また、図１５に示すように、一つの円管体１０，２０，３０を水平に寝かした状態で支持するようにしてもよい。また、特に図示しないが、照明装置４２は支持台４１の外部に設置されて、円管体１０，２０，３０の下方以外の方向から円管体１０，２０，３０を照明するように構成してもよい。また、円管体１０，２０，３０を自動的に反転させる反転装置を備えるようにしてもよい。
【産業上の利用可能性】
【００９１】
本発明の装飾体は、室内あるいは室外用のオブジェや玩具として利用することが可能である。
【符号の説明】
【００９２】
１、２、３  装飾体
１０、２０，３０  円管体
１１  液体（洗剤水溶液、精製水、洗濯のり）
１２  気体（空気）
１３  固体（ステンレス球、ビーズ、アクリル球、鉛球）
１４、２４、３４  蓋
２１  第１の液体（精製水）
２２  第２の液体（ベビーオイル）
２３  気体（空気）
３１  液体（洗濯のり）
３２  気体（空気）
４１  支持台
４２  照明装置
【図１】
2012171336.tif 000003
【図２】
2012171336.tif 000004
【図３】
2012171336.tif 000005
【図４】
2012171336.tif 000006
【図５】
2012171336.tif 000007
【図６】
2012171336.tif 000008
【図７】
2012171336.tif 000009
【図８】
2012171336.tif 000010
【図９】
2012171336.tif 000011
【図１０】
2012171336.tif 000012
【図１１】
2012171336.tif 000013
【図１２】
2012171336.tif 000014
【図１３】
2012171336.tif 000015
【図１４】
2012171336.tif 000016
【図１５】
2012171336.tif 000017